(57)【要約】【課題】胴綱の掛け換え作業時に無胴綱状態になることなく、しかも、作業者が胴綱に体重を預けた状態で確実に掛け換え作業を行うことができる安全帯を提供すること。【解決手段】作業者の身体に装着するベルト部１と、胴綱２の引き出し長を調整する胴綱長調整部３と、先端に先端係止部４を設けた胴綱２と、この胴綱２の先端係止部４を係止する係止受部５からなる安全帯において、ベルト部１に胴綱長調整部３を複数設け、この複数の胴綱長調整部３の夫々に柱状物に掛け回して作業者を支持し得る胴綱２を引き出し長さ調整自在に設けて、柱状物に掛け回している一の胴綱２を掛け換える際、他の胴綱２を柱状物に掛け回しこの第二の胴綱２の先端に設けた先端係止部４を前記ベルト部１に設けた係止受部５に係止してから掛け換え作業し得るように構成した安全帯。【選択図】図１
0003168355.tif 000002
【実用新案登録請求の範囲】
【請求項１】
作業者の身体に装着するベルト部に、樹木や電柱などの柱状物に掛け回して前記作業者を支持し得る胴綱の引き出し長を調整する胴綱長調整部を設け、この胴綱長調整部に前記胴綱を設け、この胴綱の先端に先端係止部を設け、この先端係止部を着脱自在に係止する係止受部を前記ベルト部に設けた安全帯において、前記ベルト部に前記胴綱長調整部を複数設け、この複数の胴綱長調整部の夫々に前記柱状物に掛け回して前記作業者を支持し得る胴綱を引き出し長さ調整自在に設けて、柱状物に掛け回し前記作業者を支持している一の前記胴綱を掛け換える際、他の前記胴綱を柱状物に掛け回しこの胴綱の先端に設けた先端係止部を前記ベルト部に設けた係止受部に係止してから掛け換え作業し得るように構成したことを特徴とする安全帯。
【請求項２】
前記ベルト部は、このベルト部の長手方向一側に第一の前記胴綱長調整部と第二の前記係止受部とを設け、前記ベルト部の長手方向他側に第二の前記胴綱長調整部と第一の前記係止受部とを設けると共に、このベルト部を作業者が装着した際にこの作業者の身体の左右側面の一側に前記第一の胴綱長調整部と第二の係止受部とが配置され他側に前記第二の胴綱長調整部と第一の係止受部とが配置されるように構成して、前記第一の胴綱長調整部に引き出し長さ調整自在に設けた第一の前記胴綱を前記柱状物に掛け回してこの第一の胴綱の先端に設けた第一の前記先端係止部を前記第一の係止受部に係止することでこの第一の胴綱を前記柱状物にＵ字状に掛け回しし得る構成とすると共に、前記第二の胴綱長調整部に引き出し長さ調整自在に設けた第二の前記胴綱を前記柱状物に掛け回してこの第二の胴綱の先端に設けた第二の前記先端係止部を前記第二の係止受部に係止することでこの第二の胴綱を前記柱状物にＵ字状に掛け回しし得る構成としたことを特徴とする請求項１記載の安全帯。
【請求項３】
前記第一の先端係止部と、この第一の先端係止部を着脱自在に係止する前記第一の係止受部とに同一色若しくは近似する色を付し、前記第二の先端係止部と、この第二の先端係止部を着脱自在に係止する前記第二の係止受部とに同一色若しくは近似する色を付し、この前記第一の先端係止部と前記第二の先端係止部とに付した色を異なる色若しくは識別可能な色にしたことを特徴とする請求項２記載の安全帯。
【考案の詳細な説明】
【技術分野】
【０００１】
本考案は、樹木や電柱などの柱状物に登って高所で作業する際、高所からの墜落防止の為に装着する安全帯に関するものである。
【背景技術】
【０００２】
例えば、電力の送電線の工事や保守などを行う際に電線下に生い茂った樹木の伐採作業を行う場合があり、この樹木の伐採に際しては送電線との間隔が少ない場合や伐倒方向が制限される場合には例えばチルホールを使用するが、このチルホールを使用する場合は、樹木に登ってワイヤーの一端を樹木に取り付ける作業が必要となる。
【０００３】
このワイヤーを取り付けるために樹木に登る場合には、作業者は安全帯を身体に装着して高所からの墜落防止措置を行わなければならず、特に樹木や電柱などの柱状物での作業は建物の建設現場などとは異なり足場が無い状況での作業が殆どなので、このような柱状物上での高所作業の場合には、胴綱を柱状物に掛け回して作業者がこの胴綱に体重を掛けることで突っ張り支持される柱上安全帯が用いられている。
【０００４】
しかしながら、従来の柱上安全帯は柱状物を登っていく際、この柱状物から障害物、例えば、樹木の場合、枝や蔓などが突出している場合は、この突出物が障害となって胴綱を進行方向に進めることが出来ず、よって、一旦胴綱を身体からはずし突出物を避けて掛け回す胴綱の掛け換え作業をしなければならず、この胴綱の掛け換え作業時には無胴綱状態となってしまい非常に危険な状態になっていた。
【０００５】
このため、特許文献１のような補助ロープを備えた安全帯が提案されており、作業者は掛け換え時にこの補助ロープを柱状物に係止して無胴綱状態にならないようにしている。
【先行技術文献】
【特許文献】
【０００６】
【特許文献１】特開２００１−１２９１０５号公報
【考案の概要】
【考案が解決しようとする課題】
【０００７】
しかしながら、柱状物に登って作業を行う場合、特に樹木に登って作業を行う場合は、安定した足場が無いので常に胴綱に体重を預けた状態でいる必要があり、特許文献１のような補助ロープは作業者の体重を預ける目的のものではないため、この補助ロープに作業が体重を預けながら胴綱の掛け換え作業を行うことができず、よって、作業者は手で柱状物につかまりながら胴綱の掛け換え作業を行わなければならず、この柱状物につかまりながら胴綱を掛け換える作業は非常に作業性が悪く厄介な作業であった。
【０００８】
本考案は、このような従来の問題点を解決し、胴綱の掛け換え作業時に無胴綱状態になることなく、しかも、作業者が胴綱に体重を預けた状態で容易に且つ確実に掛け換え作業を行うことができる安全性、実用性に優れた安全帯を提供することを目的とする。
【課題を解決するための手段】
【０００９】
添付図面を参照して本考案の要旨を説明する。
【００１０】
作業者の身体に装着するベルト部１に、樹木や電柱などの柱状物に掛け回して前記作業者を支持し得る胴綱２の引き出し長を調整する胴綱長調整部３を設け、この胴綱長調整部３に前記胴綱２を設け、この胴綱２の先端に先端係止部４を設け、この先端係止部４を着脱自在に係止する係止受部５を前記ベルト部１に設けた安全帯において、前記ベルト部１に前記胴綱長調整部３を複数設け、この複数の胴綱長調整部３の夫々に前記柱状物に掛け回して前記作業者を支持し得る胴綱２を引き出し長さ調整自在に設けて、柱状物に掛け回し前記作業者を支持している一の前記胴綱２を掛け換える際、他の前記胴綱２を柱状物に掛け回しこの胴綱２の先端に設けた先端係止部４を前記ベルト部１に設けた係止受部５に係止してから掛け換え作業し得るように構成したことを特徴とする安全帯に係るものである。
【００１１】
また、前記ベルト部１は、このベルト部１の長手方向一側に第一の前記胴綱長調整部３と第二の前記係止受部５とを設け、前記ベルト部１の長手方向他側に第二の前記胴綱長調整部３と第一の前記係止受部５とを設けると共に、このベルト部１を作業者が装着した際にこの作業者の身体の左右側面の一側に前記第一の胴綱長調整部３と第二の係止受部５とが配置され他側に前記第二の胴綱長調整部３と第一の係止受部５とが配置されるように構成して、前記第一の胴綱長調整部３に引き出し長さ調整自在に設けた第一の前記胴綱２を前記柱状物に掛け回してこの第一の胴綱２の先端に設けた第一の前記先端係止部４を前記第一の係止受部５に係止することでこの第一の胴綱２を前記柱状物にＵ字状に掛け回しし得る構成とすると共に、前記第二の胴綱長調整部３に引き出し長さ調整自在に設けた第二の前記胴綱２を前記柱状物に掛け回してこの第二の胴綱２の先端に設けた第二の前記先端係止部４を前記第二の係止受部５に係止することでこの第二の胴綱２を前記柱状物にＵ字状に掛け回しし得る構成としたことを特徴とする請求項１記載の安全帯に係るものである。
【００１２】
また、前記第一の先端係止部４と、この第一の先端係止部４を着脱自在に係止する前記第一の係止受部５とに同一色若しくは近似する色を付し、前記第二の先端係止部４と、この第二の先端係止部４を着脱自在に係止する前記第二の係止受部５とに同一色若しくは近似する色を付し、この前記第一の先端係止部４と前記第二の先端係止部４とに付した色を異なる色若しくは識別可能な色にしたことを特徴とする請求項２記載の安全帯に係るものである。
【考案の効果】
【００１３】
本考案は上述のように構成したから、柱状物上での高所作業時に安全帯の胴綱を掛け換え作業する際、柱状物に掛け回している一の胴綱に体重を預けた状態のままで、柱状物に掛け回ししていない他の胴綱を障害となる突出物などを避けて掛け回して複数の胴綱を同時に柱状物に掛け回すことができ、この新たに掛け回した他の胴綱に体重を預けた状態にしてから今まで体重を預けていた一の胴綱を外すことで、胴綱の掛け換え作業において一瞬たりとも無胴綱状態になることがなく、しかも、常に胴綱に体重を預けた安全な体勢を確保することができるので、掛け換え作業中も何かを掴んで体勢を保持することなく両手を使って効率よく掛け換え作業を行うことができる安全性が高く実用性に優れた安全帯となる。
【００１４】
また、請求項２，３記載の考案においては、胴綱の掛け換え作業時の作業性が向上し、操作ミスを可及的に低減し、より一層胴綱の掛け換え作業時の安全性を向上することができる実用性に優れた安全帯となる。
【図面の簡単な説明】
【００１５】
【図１】本実施例を示す正面図である。
【図２】本実施例を作業者に装着した状態を示す説明平面図である。
【図３】本実施例の使用状態を示す説明図である。
【考案を実施するための形態】
【００１６】
好適と考える本考案の実施形態を、図面に基づいて本考案の作用を示して簡単に説明する。
【００１７】
樹木や電柱などの柱状物に掛け回して作業者が体重を預けている胴綱２の進行が柱状物から突出している枝や突出物などによって阻まれた場合は、この突出物を避けて進行するために胴綱２の掛け換え作業をしなければならず、この胴綱２の掛け換え作業をする際、例えば、一の胴綱２の進行が妨げられ、この一の胴綱２を掛け換えしなければならない状況となった際、この一の胴綱２に作業者の体重を預けたままの状態で、ベルト部１に設けた他の胴綱２を胴綱長調整部３で引き出し長さを調整して柱状物の突起物を避けた位置に掛け回し、この掛け回した他の胴綱２の先端に設けた先端係止部４を係止受部５に係止し、一時的に二本の胴綱２を同時に柱状物に掛け回した状態にする。
【００１８】
そして、この新たに柱状物に掛け回した他の胴綱２のほうに作業者の体重を預け変え、その後、一の胴綱２の引き出し長さを胴綱長調整部３で調整して長くし緊張状態を弛めてこの一の胴綱２の先端に設けた先端係止部４を係止受部５から離脱させ、柱状物への掛け回しを解除することで、一の胴綱２から他の胴綱２への掛け換え作業が終了する。
【００１９】
即ち、本考案は、単に作業者の体重を預けることができる胴綱２を複数設けただけでなく、この複数の胴綱２のすべてが引き出し長さを自在に調整できるので、常に柱状物と作業者との間隔を最適な間隔に保ち、作業者がベストな体勢を保持することができることで、より一層安全性が確保された状態で胴綱２の掛け換え作業をすることができることとなる。
【００２０】
このように、本考案は、胴綱２の掛け換え作業において、引き出し長さを調整でき、且つ作業者の体重を預けることができる胴綱２を複数設けたことで、作業者の体重を一の胴綱２に預けたままの安定した安全な状態で、柱状物に掛け回ししていない他の胴綱２を障害となる突出物などを避けて掛け回して一時的に複数の胴綱２を同時に柱状物に掛け回すことができ、この新たに掛け回した他の胴綱２に体重を預け直した状態にしてから今まで体重を預けていた一の胴綱２を外すことで、胴綱２の掛け換え作業において一瞬たりとも無胴綱状態になることがなく、しかも、常に胴綱２に体重を預けた状態でいられるので、作業者は胴綱２の掛け換え時も何かを掴んだりしがみついたりすることもなく、よって、常に両手が使用できるので、極めて安全に、且つ効率よく胴綱２の掛け換え作業ができる実用性に優れた画期的な安全帯となる。
【実施例】
【００２１】
本考案の具体的な実施例について図面に基づいて説明する。
【００２２】
本実施例は、樹木や電柱などの柱状物に登って高所で作業する際、高所からの墜落防止の為に作業者が装着する安全帯であり、特に柱状物に胴綱２を掛け回してこの掛け回した胴綱２に作業者の体重を預けて使用する柱上安全帯に関するものである。
【００２３】
即ち、本実施例は、作業者の身体に装着するベルト部１に、樹木や電柱などの柱状物に掛け回して作業者を支持し得る胴綱２の引き出し長を調整する胴綱長調整部３を設け、この胴綱長調整部３に胴綱２を設け、この胴綱２の先端に先端係止部４を設け、この先端係止部４を着脱自在に係止する係止受部５を前記ベルト部１に設けた安全帯である。
【００２４】
また、本実施例は、ベルト部１に複数の胴綱長調整部３を設け、この複数の胴綱長調整部３の夫々に柱状物に掛け回して作業者を支持し得る胴綱２を引き出し長さ調整自在に設けた安全帯である。
【００２５】
具体的には、ベルト部１は、細長い帯状の帯状ベルト部１ａと幅広でこの帯状ベルト部寄りも短い長さの腰当ベルト部１ｂとで構成しており、より具体的には、帯状ベルト部１の長手方向一端にバックル部６を設け、腰当ベルト部１ｂの外側（装着時に作業者の身体に接しない側）に複数のベルト通し部７を設け、この複数のベルト通し部７に帯状ベルト部１ａを挿通し腰当ベルト部１ｂの外側に帯状ベルト部１を重合配設した構成としている。
【００２６】
また、このベルト部１は、複数の胴綱長調整部３を設けた構成としており、具体的には、二つの胴綱長調整部３を設けて、この二つの胴綱長調整部３の一方を第一の胴綱長調整部３、他方を第二の胴綱長調整部３とし、ベルト部１の長手方向一側に第一の胴綱長調整部３を設け、長手方向他側に第二の胴綱長調整部３を設けた構成としている。
【００２７】
より具体的には、腰当ベルト部１ｂの長手方向一側に第一の胴綱長調整部３を設け、長手方向他側に第二の胴綱長調整部３を設け、この腰当ベルト部１ｂに設けた第一の胴綱長調整部３と第二の胴綱長調整部３とが、作業者がこのベルト部１を装着した際にこの作業者の身体の左右側面の一側に第一の胴綱長調整部３が配置され他側に第二の胴綱長調整部３が配置されるように構成している。
【００２８】
また、より詳しく説明すると、この第一の胴綱長調整部３及び第二の胴綱長調整部３の夫々は、腰当ベルト部１ｂに設けた環体８、具体的にはＶ字型環体８に着脱自在に連結し得る構成としている。
【００２９】
また、この第一の胴綱長調整部３及び第二の胴綱長調整部３の夫々は、この胴綱長調整部３によって引き出し長さが調整自在な胴綱２を設けた構成としており、具体的には、第一の胴綱長調整部３に第一の胴綱２を摺動自在に設けて引き出し長さ調整自在に構成し、第二の胴綱長調整部３に第二の胴綱２を摺動自在に設けて引き出し長さ調整自在に構成している。
【００３０】
この胴綱長調整部３に摺動自在に設けて引き出し長さを調整自在設けた胴綱２は、この胴綱２の先端に先端係止部４を設け、基端に抜け止め部９を設けた構成とし、この胴綱２を胴綱長調整部３から引き抜き不能な構成としている。
【００３１】
尚、本実施例では、第一の胴綱２の先端に設けた先端係止部４を第一の先端係止部４とし、第二の胴綱２の先端に設けた先端係止部４を第二の先端係止部４としている。
【００３２】
この先端係止部４は、鉤状に形成したフック部４ａ、このフック部４ａが係止受部５から離脱することを防止する外れ止め部４ｂ、この外れ止め部４ｂの動作をロックする外れ止めロック部４ｃ、及びこの先端係止部４と胴綱２とを連結する胴綱連結部４ｄとで構成しており、先端係止部４を係止受部５に係止したり離脱させたりする係脱操作を行う場合は、外れ止めロック部４ｃを操作して外れ止め部４ｂのロックを解除して可動自在な状態にし、この可動自在となった外れ止め部４ｂを内方に移動させてこの外れ止め部４ｂとフック部４ａ先端との間に係止受部５を挿通可能な隙間を設け、この隙間を通じて先端係止部４の係止受部５への係脱操作によって、この先端係止部４を係止受部５に着脱自在に設けた構成としている。
【００３３】
また、この先端係止部４を着脱自在に係止する係止受部５は、ベルト部１に複数設けた構成としており、具体的には、ベルト部１に四つの係止受部５を設けて、この四つの係止受部５の内の二つの係止受部５を第一の係止受部５、残り二つの係止受部５を第二の係止受部５とし、ベルト部１の長手方向一側に第二の係止受部５を設け、長手方向他側に第一の係止受部５を設けた構成としている。
【００３４】
より具体的には、腰当ベルト部１ｂの長手方向一側に第二の係止受部５をこの腰当ベルト部１ｂの長手方向に並設し、長手方向他側に第一の係止受部５をこの腰当ベルト部１ｂの長手方向に並設し、更に、作業者がこのベルト部１を装着した際にこの作業者の身体の左右側面の一側に第二の係止受部５が配置され他側に第一の係止受部５が配置される構成とし、本実施例では、この係止受部５を環状係止受部５に構成し、具体的には胴綱長調整部３を連結する環体８と同様のＶ字環に形成したＶ字環型係止受部５を採用した構成としている。
【００３５】
この係止受部５としてＶ字環型係止受部５を採用することで、先端係止部４を係止する際に、環状部がベルト部１から突出状態になっているため引っ掛け易いというメリットがある。
【００３６】
尚、本実施例では、上記のように係止受部５をＶ字環型に形成した構成としたが、例えばＤ環や丸環でもよく、係止受部５に先端係止部４を着脱自在に係止可能な構成であれば適宜採用するものとする。
【００３７】
また、本実施例では、第一の胴綱２と、第一の先端係止部４と、この第一の先端係止部４を着脱自在に係止する第一の係止受部５との外観色を同一色若しくは近似する色にし、第二の胴綱２と、第二の先端係止部４と、この第二の先端係止部４を着脱自在に係止する第二の係止受部５との外観色を同一色若しくは近似する色にすると共に、この第一の先端係止部４と第二の先端係止部４との外観色を異なる色若しくは識別可能な色に設定した構成としている。
【００３８】
即ち、本実施例は、作業者の身体の左右側面の一側に配置した胴綱２を柱状物に掛け回して作業者の身体の左右側面の他側に配置した係止受部５に係止する際に、先端係止部４と係止受部５との同色同士を係止することで、例えば第一の先端係止部４を第二の係止受部５に係止してしまい胴綱２がＵ字状に掛け回しされないといった掛け間違いをすることなく、確実に胴綱２を作業者の身体に対してＵ字状に柱状物に掛け回した状態で装着でき、しかも、色の視認による極めて容易な識別方法なので、一目で容易に確認でき作業性にも優れる画期的な安全帯となる。
【００３９】
尚、本実施例では、胴綱２、先端係止部４、係止受部５を一組として同一色にしたが、例えば、胴綱２と係止受部５、或いは先端係止部４と係止受部５だけに識別するための色を設定した構成としても良い。
【００４０】
また、胴綱２の先端側に８の字型環状体（図示しない）を設けて、Ｕ字吊り、一本吊り兼用に構成しても良い。
【００４１】
本実施例は、上述のように構成したので、以下のような作用効果を発揮する。
【００４２】
柱状物上での高所作業時に安全帯の胴綱２の掛け換え作業する際、柱状物に掛け回している第一の胴綱２に体重を預けた状態のままで、柱状物に掛け回ししていない第二の胴綱２を障害となる突出物などを避けて掛け回して二本の胴綱２を同時に柱状物に掛け回すことができ、この新たに掛け回した第二の胴綱２に体重を預けた状態にしてから今まで体重を預けていた第一の胴綱２を柱状物から離脱することで、第一の胴綱２から第二の胴綱２への掛け換え作業において一瞬たりとも無胴綱状態になることがなく、しかも、常に胴綱２に体重を預けた安全且つ安定な体勢を確保することができるので、掛け換え作業中も何かを掴んで体勢を保持することなく両手を使って効率よく掛け換え作業を行うことができる安全性が高く実用性に優れた安全帯となる。
【００４３】
また、第一の先端係止部４とこの第一の先端係止部４が係止する第一の係止受部５とを同色にし、第二の先端係止部４とこの第二の先端係止部４が係止する第二の係止受部５とを同色にし、尚且つ、第一の先端係止部４と第二の先端係止部４とを識別可能な異なる色にしたことにより、同色同士の先端係止部４と係止受部５とを係止するという極めて容易な識別方法で掛け間違いによる事故を可及的に抑制することができる安全性に優れた画期的な安全帯となる。
【００４４】
尚、本考案は、本実施例に限られるものではなく、各構成要件の具体的構成は適宜設計し得るものである。
【符号の説明】
【００４５】
１  ベルト部
２  胴綱
３  胴綱長調整部
４  先端係止部
５  係止受部
【図１】
0003168355.tif 000003
【図２】
0003168355.tif 000004
【図３】
0003168355.tif 000005